(57)【特許請求の範囲】
【請求項１】
ユーザ機器（ＵＥ）の装置であって、該装置は、セル横断的なデバイス相互間（Ｄ２Ｄ）検出を行うように動作可能な回路を有し、該回路は、
セル横断的なＤ２Ｄ検出を支持するために、前記ＵＥにおいて、デバイス相互間同期信号（Ｄ２ＤＳＳ）の構成情報、及びデバイス相互間同期信号（Ｄ２ＤＳＳ）の伝送タイミング情報を受信する動作と、
前記Ｄ２ＤＳＳの構成情報に基づき、伝送リソース共有用蓄積領域における第１サブフレーム内の複数の物理リソースブロック（複数のＰＲＢ）を識別する動作であって、前記複数のＰＲＢは、前記Ｄ２ＤＳＳの伝送のために割り当てられるリソースブロックであり、前記伝送リソース共有用蓄積領域は、Ｄ２Ｄ検出リソース共有用蓄積領域を有し、リソースは、システムレベルにおいて時間分割多重（ＴＤＭ）方式により割り当てられる、前記複数のＰＲＢを識別する動作と、
前記Ｄ２ＤＳＳの構成情報に基づき、前記複数のＰＲＢを用いて、Ｄ２Ｄ同期信号（Ｄ２ＤＳＳ）を送信または受信する動作と、
を実行し、
Ｄ２ＤＳＳの伝送のために割り当てられる前記複数のＰＲＢ内に含まれない、前記Ｄ２Ｄ検出リソース共有用蓄積領域における前記第１サブフレーム内の１つ以上の残りのＰＲＢは、Ｄ２Ｄ検出伝送のために割り当てられる、装置。
【請求項２】
前記Ｄ２Ｄ検出リソース共有用蓄積領域内のリソースは、非ＵＥ機器に固有の基準（タイプ１）で割り当てられる、または、ＵＥ機器に固有の基準（タイプ２Ｂ）で半永久的に割り当てられる、請求項１に記載の装置。
【請求項３】
Ｄ２ＤＳＳの伝送のために割り当てられる前記複数のＰＲＢは、前記Ｄ２Ｄ検出リソース共有用蓄積領域と重なり合う、請求項１または２に記載の装置。
【請求項４】
前記伝送リソース共有用蓄積領域は更に、
リソースが非ＵＥ機器に固有の基準（タイプ１）で割り当てられる、第１Ｄ２Ｄ検出リソース共有用蓄積領域、及び
リソースがＵＥ機器に固有の基準（タイプ２Ｂ）で半永久的に割り当てられる、第２Ｄ２Ｄ検出リソース共有用蓄積領域を有する、請求項１から３のいずれか一項に記載の装置。
【請求項５】
Ｄ２ＤＳＳの伝送のために割り当てられる前記複数のＰＲＢは、前記第１Ｄ２Ｄ検出リソース共有用蓄積領域または前記第２Ｄ２Ｄ検出リソース共有用蓄積領域の少なくとも１つと重なり合う、請求項４に記載の装置。
【請求項６】
前記回路は更に、下りリンク（ＤＬ）基準タイミングに基づき、または、タイプ２Ｂ伝送タイミングに基づき、Ｄ２Ｄ同期信号（Ｄ２ＤＳＳ）を送信する、請求項１から５のいずれか一項に記載の装置。
【請求項７】
セル横断的なデバイス相互間（Ｄ２Ｄ）検出の可能なユーザ機器（ＵＥ）の装置であって、前記装置は、
セル横断的なＤ２Ｄ検出を支持するために、デバイス相互間同期信号（Ｄ２ＤＳＳ）の構成情報、及びデバイス相互間同期信号（Ｄ２ＤＳＳ）の伝送タイミング情報を受信し、
前記Ｄ２ＤＳＳの構成情報に基づき、Ｄ２ＤＳＳの伝送のために割り当てられる、伝送リソース共有用蓄積領域における第１サブフレーム内の複数の物理リソースブロック（複数のＰＲＢ）を識別し、前記伝送リソース共有用蓄積領域は、Ｄ２Ｄ検出リソース共有用蓄積領域を有し、リソースは、システムレベルにおいて周波数分割多重（ＦＤＭ）方式により割り当てられる、
前記Ｄ２ＤＳＳの構成情報に基づき、Ｄ２Ｄ同期信号（Ｄ２ＤＳＳ）を送信または受信する回路を有し、
Ｄ２ＤＳＳの伝送のために割り当てられる前記複数のＰＲＢ内に含まれない、前記Ｄ２Ｄ検出リソース共有用蓄積領域における前記第１サブフレーム内の１つ以上の残りのＰＲＢは、Ｄ２Ｄ検出伝送のために割り当てられる、装置。
【請求項８】
前記回路は、更に、下りリンク（ＤＬ）の基準タイミングまたは上りリンク（ＵＬ）の基準タイミングに基づき、Ｄ２Ｄ同期信号（Ｄ２ＤＳＳ）を送信する、請求項７に記載の装置。
【請求項９】
前記回路は、更に、
セルのための参照信号受信電力（ＲＳＲＰ）を識別し、前記セルは、接続セルまたは在圏セルであり、
前記セルにより設定される設定閾値を受信し、
前記ＲＳＲＰ及び前記設定閾値間の比較結果に基づき、Ｄ２ＤＳＳが送信されるか否かを判定する、請求項７または８に記載の装置。
【請求項１０】
前記回路は、更に、次世代ノードＢ（ｅＮＢ）から上書き指示を受信し、前記上書き指示は、Ｄ２ＤＳＳが送信されるか否かを識別し、かつ、前記上書き指示は、前記判定に優先する、請求項９に記載の装置。
【請求項１１】
前記回路は、更に、
セルのための経路損失の測定結果を識別し、前記セルは、接続セルまたは在圏セルであり、
前記セルにより設定される設定閾値を受信し、
前記経路損失の測定結果及び前記設定閾値間の比較結果に基づき、Ｄ２ＤＳＳが送信されるか否かの判定を行う、請求項７から１０のいずれか一項に記載の装置。
【請求項１２】
前記回路は、更に、次世代ノードＢ（ｅＮＢ）から上書き指示を受信し、前記上書き指示は、Ｄ２ＤＳＳが送信されるか否かを識別し、かつ、前記上書き指示は、前記判定に優先する、請求項１１に記載の装置。
【請求項１３】
前記回路は、更に、前記経路損失の測定結果を前記ｅＮＢへ送信し、前記ｅＮＢは、前記経路損失の測定結果に基づき、前記上書き指示を送信する、請求項１２に記載の装置。
【発明の詳細な説明】
【背景技術】
【０００１】
例えば、次世代ユニバーサル移動体通信システム地上無線アクセスネットワーク（Ｅ−ＵＴＲＡＮ）等のセル方式無線アクセスネットワークにおいては、携帯機器は、例えば、次世代ノードＢ（ｅＮＢ）等の１つ以上のネットワークノードを介して、互いに無線通信を行うことができる。加えて、携帯機器間における直接通信を容易にする近接度に基づくサービスもまた、幾つかの無線ネットワークにおいて、利用可能である。
【０００２】
開示技術の特徴及び効果は、開示技術の特徴を一例として共に例示する以下の添付図面との併用により、詳細な説明から、明らかとなるであろう。
【図面の簡単な説明】
【０００３】
【図１ａ】図１ａは、第１サブフレーム内の６つの中央ＰＲＢが、実施例に従って検出リソース共有用蓄積領域（プール）と完全に重なり合う伝送リソース共有用蓄積領域を例示する図である；
【図１ｂ】図１ｂは、第１サブフレーム内の６つの中央ＰＲＢが、実施例に従って検出リソース共有用蓄積領域と部分的に重なり合う伝送リソース共有用蓄積領域を例示する図である；
【図２】図２は、伝送リソース共有用蓄積領域の第１サブフレーム内の６つの中央ＰＲＢ２０２が、実施例に従って検出リソース共有用蓄積領域と重なり合わない伝送リソース共有用蓄積領域を例示する図である；
【図３】図３は、伝送リソース共有用蓄積領域の第１サブフレーム内にある、検出リソース共有用蓄積領域内のＰＲＢも、実施例に従って６つの中央ＰＲＢ内にある伝送リソース共有用蓄積領域を例示する図である；
【図４】図４は、第１サブフレーム内の６つの中央ＰＲＢが、実施例に従ってタイプ１の検出リソース共有用蓄積領域及びタイプ２Ｂ（タイプ）検出リソース共有用蓄積領域の双方と重なり合う伝送リソース共有用蓄積領域を例示する図である；
【図５】図５は、実施例に従ってＤ２Ｄ通信を実行することのできるＵＥの例示的な機能を示す図である；
【図６】図６は、実施例に従ったセル方式基地局の例示的な機能を示す図である；及び
【図７】図７は、実施例に従った無線装置（例えば、ＵＥ）の概略図である。
【発明を実施するための形態】
【０００４】
ここで、図示される例示的な実施形態には、参照符号を付すと共に、本明細書においては、同一の物を説明するために、特定の用語を使用する。それでもなお、これにより請求範囲の限定を意図するものではないことは理解されるであろう。
【０００５】
幾つかの実施形態が開示及び記載される前に、請求された主題は、本明細書に開示された特定の構造、処理操作、または材料に限定されず、当業者の認識し得るこれらの均等物にまで拡大されることが理解されるべきである。また、本明細書において用いられる用語は、特定の実施例を説明する目的においてのみ使用されるものであり、限定を意図するものではないことも理解されるべきである。異なる図面における同一の参照数字は、同一の構成要素を表す。フローチャート及び工程に示す数字は、例示する動作を明確にするために付与されるものであり、必ずしも特定の順序または並びを示すものではない。
【０００６】
最初に、技術に係る実施形態の概要が以下に記載され、その後、特定の技術に係る実施形態が、更に詳細に後述される。この最初の要約は、読み手が上記技術をより早く理解することの支援を目的とするものであり、上記技術の重要な特徴または本質的な特徴を特定したり、請求された主題の範囲を限定したりすることを意図するものではない。
【０００７】
第３世代移動体通信システム標準化プロジェクト（３ＧＰＰ）のロングタームエボリューション（ＬＴＥ）リリース１２（及び将来有り得るリリース）に関し、所定タイプのデバイス相互間（Ｄ２Ｄ）検出が、ネットワークサービスエリア内においてサポートされることが合意された。具体的には、セル間を跨る直接的なＤ２Ｄ検出は、同期及び非同期の双方のネットワークにおいて、サポートされる予定である。非同期ネットワーク内のセルは、異なるタイミング及び周波数のリソースを使用することができるため、第１セルに接続または在圏するユーザ機器（ＵＥ）、及び非同期第２セルに接続または在圏する第２ＵＥは、Ｄ２Ｄ信号を介して相互に通信を行うために、時間及び周波数リソースの共有用蓄積領域を識別及び／または同期化する何らかの手段を必要とする。無線アクセスネットワーク１（ＲＡＮ１）のワーキンググループ（ＷＧ）により、非同期ネットワーク内のＵＥは、時間及び周波数における同期化を達成し得て、リソース共有用蓄積領域の正確な位置を特定可能であることが合意された。上記リソース共有用蓄積領域は、隣接セルにおいて、（１）（無線リソース制御接続（ＲＲＣ接続）モードにあるＵＥのための）接続セルまたは（無線リソース制御待機（ＲＲＣ待機）モードにあるＵＥのための）在圏セルによりシステム情報ブロック（ＳＩＢ）信号経由で転送される隣接セルリソース共有用蓄積領域の構成信号；及び（２）隣接セル内のＵＥにより送信されるＤ２Ｄ同期信号（Ｄ２ＤＳＳ）：の組み合わせから構成される。Ｄ２ＤＳＳは、Ｚａｄｏｆｆ−Ｃｈｕ系列（すなわち、ＺＣ系列）である第１（プライマリ）Ｄ２Ｄ同期信号（ＰＤ２ＤＳＳ）を有し、また、最大長系列（すなわち、Ｍ系列）である第２（セカンダリ）Ｄ２Ｄ同期信号（ＳＤ２ＤＳＳ）を有することもできる。なお、Ｄ２ＤＳＳ、ＰＤ２ＤＳＳ、及びＳＤ２ＤＳＳはそれぞれ、サイドリンク同期信号（ＳＳＳ）、第１サイドリンク同期信号（ＰＳＳＳ）、及び第２サイドリンク同期信号（ＳＳＳＳ）とも称される。本明細書においては、ＵＥは、時間Ｔ＝Ｔ１−Ｔ２における検出信号を伝送する。ここで、Ｔ１は、ＵＥがタイミングの基準として用いるＤ２Ｄ同期元により伝送されるＤ２ＤＳＳの受信タイミングであり、かつ、ネットワークサービスエリア内のＵＥ用の接続セルまたは在圏セルのＤＬ受信タイミングに等しい。Ｔ２は、正、負、または０のオフセット値である。
【０００８】
少なくとも２つのタイプのＤ２Ｄ検出手順が、ＲＡＮ１ＷＧにより規定されている。タイプ１においては、検出信号伝送用のリソースが、非ＵＥ機器に固有の基準で割り当てられ；リソースは、全てのＵＥまたは１つのグループのＵＥのために、割り当て可能である。タイプ２においては、検出信号伝送用のリソースが、個々のＵＥに固有の基準で割り当てられる。タイプ２の少なくとも２つのサブタイプ：タイプ２Ａ（検出信号の個別の伝送過程のそれぞれに対してリソースが割り当てられる）及びタイプ２Ｂ（検出信号の伝送のために半永久的にリソースが割り当てられる）も、規定されている。なお、検出信号またはメッセージ伝送は、３ＧＰＰ仕様における物理サイドリンク検出チャネル（ＰＳＤＣＨ）の伝送によっても、参照される。
【０００９】
タイプ１の検出に関し、周波数分割双方向（ＦＤＤ）モード（異なる搬送波周波数上で送信及び受信が同時に発生する双方向通信のモード）において、ＲＲＣ接続モードにあるＵＥが、下りリンク（ＤＬ）基準タイミング（Ｔ２＝０）に基づいて検出信号を伝送することに、ＲＡＮ１ＷＧは合意した。時間分割双方向（ＴＤＤ）モード（同一搬送波周波数であるが異なるタイムスロット内において各方向の伝送が発生する双方向通信のモード）において、ＲＲＣ接続モード及びＲＲＣ待機モードにあるＵＥが、基準タイミングＴ２＝６２４Ｔに基づいて検出信号を伝送することに、ＲＡＮ１ＷＧは合意した。
【００１０】
タイプ２Ｂの検出に関し、タイプ２Ｂの検出信号を伝送する、ＲＲＣ接続モードにあるＵＥのために、ＲＲＣ待機モードにあるＵＥが、タイプ２Ｂの検出信号を伝送することができない場合、Ｔ２の値は、例えば、ＦＤＤモードではＴ２＝有効なタイミングアドバンス（ＴＡ）値、及び、ＴＤＤモードではＴ２＝６２４Ｔ＋ＴＡ；並びに、ＦＤＤモードではＴ２＝０、及び、ＴＤＤモードではＴ２＝６２４Ｔ：の間の値であってもよい。一方、ＲＲＣ待機モードにあるＵＥが、タイプ２Ｂの検出信号を伝送することができる場合、Ｔ２の値は、例えば、ＦＤＤモードではＴ２＝０、及び、ＴＤＤモードではＴ２＝６２４Ｔであってもよい。
【００１１】
加えて、ネットワークが、Ｄ２Ｄ検出及びＤ２Ｄ通信の双方をサポートする場合、Ｄ２ＤＳＳ伝送の構成は、Ｄ２Ｄ検出及びＤ２Ｄ通信の双方において同一であるべきであることも、ＲＡＮ１ＷＧは合意した。タイプ１の検出のために、セル内のＵＥは、伝送リソース共有用蓄積領域の第１サブフレームが検出期間内にある間中、ＰＤ２ＤＳＳ及びＳＤ２ＤＳＳを伝送するものとしてもよい。伝送リソース共有用蓄積領域が、システム情報ブロック（ＳＩＢ）ブロードキャストを用いて、次世代ノードＢ（ｅＮＢ）により、構成される場合には、その後、所与の伝送のためのＰＤ２ＤＳＳ系列及びＳＤ２ＤＳＳ系列もまた、ＳＩＢブロードキャストを用いて構成されると共に、同一のＰＤ２ＤＳＳ及びＳＤ２ＤＳＳ系列は、Ｄ２Ｄ通信のために使用される。上記伝送リソース共有用蓄積領域が、ＳＩＢブロードキャストを用いて構成されない場合には、ＰＤ２ＤＳＳ及びＳＤ２ＤＳＳ系列は、専用の無線リソース制御（ＲＲＣ）信号を用いて、構成されるものとしてもよい。タイプ２Ｂの検出のために、ｅＮＢは、１つ以上のＵＥに対して、ＰＤ２ＤＳＳ及びＳＤ２ＤＳＳ系列の伝送を指示するものとしてもよい。
【００１２】
伝送リソース共有用蓄積領域の第１サブフレーム内における検出伝送のためのＰＤ２ＤＳＳ及びＳＤ２ＤＳＳが、上りリンク（ＵＬ）のシステム帯域幅（ＢＷ）の中央６つの物理リソースブロック（ＰＲＢ）を占めることもまた、ＲＡＮ１ＷＧは合意した。これらの中央６つのＰＲＢは、伝送リソース共有用蓄積領域内のリソースのサブセットを有する検出リソース共有用蓄積領域と、重なり合うものとしてもよい。より大きなシステム帯域幅を有するシステム（例えば、１０ＭＨｚ帯域幅を有するシステムでは５０ＰＲＢ、または、２０ＭＨｚ帯域幅を有するシステムでは１００ＰＲＢ）に関し、検出リソース共有用蓄積領域における第１サブフレーム内の残りのＰＲＢ（すなわち、検出リソース共有用蓄積領域における第１サブフレーム内に有る中央６つのＰＲＢ以外のＰＲＢ）を使用するための、合意された方法は、未だ存在しない。
【００１３】
一方において、非中央ＰＲＢは、使用せずに残すこともできるであろう；これにより、残りのＰＲＢ内における伝送からの帯域内放射（ＩＢＥ）に起因する、中央ＰＲＢ内における受信されたＤ２ＤＳＳ伝送への干渉は、確実に無くなるであろう。しかしながら、この方法は、システムレベルで利用可能なスペクトラムを浪費する要因ともなり得る。従って、利用可能なスペクトラムリソースの浪費を回避するために、検出リソース共有用蓄積領域における第１サブフレーム内の残りの全てのＰＲＢが、どの様に使用されるかを、特定する必要がある。
【００１４】
また、周波数分割多重（ＦＤＭ）方式において、複数の検出リソース共有用蓄積領域が割り当てられる場合には、Ｄ２ＤＳＳ伝送のための付加的なルール、例えば、使用されるべき基準タイミングを識別すると共に、何れのＵＥが所与のＤ２ＤＳＳを伝送するかを決定するルール等を、規定する必要もある。
【００１５】
本願の開示に係る実施例は、伝送リソース共有用蓄積領域のサブセットである検出リソース共有用蓄積領域の第１サブフレーム内におけるリソース割り当てのためのルールを提供する。中央の６つのＰＲＢは、Ｄ２ＤＳＳのために使用される。更なる実施例は、非同期ネットワークを構築する通信中のＵＥ間におけるＤ２ＤＳＳ伝送のためのタイミングのオプション（選択肢）を提供する。例えば、第１ＵＥが第１セル内に有り、かつ、第２ＵＥが第２セル内に有り、かつ、第２セルが、第１セルのタイミングと非同期となるタイミングを使用する場合には、これら２つのセルは、非同期ネットワークの構築と関連している。第１ＵＥ及び第２ＵＥは、Ｄ２ＤＳＳを用いて、相互のＤ２Ｄ通信を確立することができる。
【００１６】
更なる実施例は、タイプ１及びタイプ２Ｂの検出リソース共有用蓄積領域が、ＦＤＭ方式において割り当てられる場合には、Ｄ２ＤＳＳ伝送のためのルールを提供する。セル横断的なＤ２Ｄ検出機能のサポートに関し、幾つかの実施例において説明されているが、検出リソース共有用蓄積領域の第１サブフレーム内におけるリソース割り当てのルールに例示された概念もまた、Ｄ２Ｄ通信用に構成される物理サイドリンク制御チャネル（ＰＳＣＣＨ）とも称されるスケジューリング割り当て（ＳＡ）リソース共有用蓄積領域に対して、Ｄ２ＤＳＳ伝送を関連付けることにより、セル間Ｄ２Ｄ通信をサポートするために、適用可能である。
【００１７】
以下に説明する幾つかの実施例においては、検出リソース共有用蓄積領域は、時間及び周波数リソースの複数の隣接ブロックとして、示されている。検出リソース共有用蓄積領域の周波数範囲は、第１パラメータ（開始ＰＲＢ）において特定される値から、第２パラメータ（終了ＰＲＢ）の値まで延びるものとしてもよい。開始ＰＲＢ及び終了ＰＲＢは、ＳＩＢ信号を介して、ＵＥに伝えられる。しかしながら、単一の検出リソース共有用蓄積領域が、伝送リソース共有用蓄積領域内に、２つ以上の分離したブロックを有するものとしてもよい。検出リソース共有用蓄積領域が、リソースの分離したブロックを２つ以上有する場合には、リソースの付加的なブロックを規定する開始及び終了周波数値を伝送するために、付加的なパラメータが、ＳＩＢ信号に付加されるものとしてもよい。例えば、単一の検出リソース共有用蓄積領域を規定する２つの分離したリソースブロックが有る場合には、第２ブロックの周波数範囲を規定するために２つの付加的なパラメータ（例えば、開始ＰＲＢ２及び終了ＰＲＢ２）が使用可能である一方で、第１ブロックの周波数範囲を規定するために開始ＰＲＢ及び終了ＰＲＢが使用可能である。
【００１８】
以下に説明する幾つかの実施例（例えば、オプション３に記載された実施例）においては、伝送リソース共有用蓄積領域の第１サブフレーム（すなわち、サブフレーム＃０）内における検出リソース共有用蓄積領域の構成は、後続サブフレーム（すなわち、伝送リソース共有用蓄積領域がＮ個のサブフレームに及ぶ場合、サブフレーム＃１からサブフレーム＃Ｎ−１）内における検出リソース共有用蓄積領域の構成と同一であることが想定される。しかしながら、上記第１サブフレーム内における検出リソース共有用蓄積領域の第１構成、及び上記同一の伝送リソース共有用蓄積領域の後続サブフレーム内における第２構成を、用いることも可能である。例えば、第１サブフレーム内の６つの中央ＰＲＢがＤ２ＤＳＳのために使用される様に、伝送リソース共有用蓄積領域が構成される場合には、第１サブフレーム内における検出リソース共有用蓄積領域の構成は、６つの中央ＰＲＢのみを含むものと考えることができる。後続サブフレームに関し、検出リソース共有用蓄積領域の構成は、開始ＰＲＢ及び終了ＰＲＢ（並びに、必要に応じて開始ＰＲＢ２及び終了ＰＲＢ２等）により指定される周波数範囲（複数可）を含むものと考えることができる。第１サブフレーム内の６つの中央ＰＲＢがＤ２ＤＳＳのために使用される様に、伝送リソース共有用蓄積領域が構成されない場合には、同一の構成（例えば、その周波数範囲が、開始ＰＲＢ及び終了ＰＲＢにより規定される構成）が、伝送リソース共有用蓄積領域の全てのサブフレームに対して、適用可能である。後続サブフレームと対比して第１サブフレームのために異なる構成を有する概念は、例えば、オプション１及び（後述する）オプション２の方法の実行に役立つ様に、使用することができる。
【００１９】
１つ以上のＤ２Ｄ検出リソース共有用蓄積領域が、システムレベルにおいて時間分割多重（ＴＤＭ）を用いて割り当てられる際の、Ｄ２Ｄ検出リソース共有用蓄積領域の第１サブフレームに対するリソース割り当て：オプション１
【００２０】
オプション１においては、検出リソース共有用蓄積領域における第１サブフレーム内における残りのＰＲＢ（すなわち、Ｄ２ＤＳＳのために使用される、伝送リソース共有用蓄積領域内の６つの中央ＰＲＢ以外のＰＲＢ）が、使用されずに残されるものとしてもよい。上述した様に、このオプションは、ＵＬ方向へのシステムレベルのスペクトラム効率損失をもたらす。しかしながら、このオプションはまた、残りのＰＲＢ内における伝送から帯域内放射（ＩＢＥ）により引き起こされる可能性のある、中央ＰＲＢ内における受信Ｄ２ＤＳＳの伝送への干渉を回避する。
【００２１】
１つ以上のＤ２Ｄ検出リソース共有用蓄積領域が、システムレベルにおいて時間分割多重（ＴＤＭ）を用いて割り当てられる際の、Ｄ２Ｄ検出リソース共有用蓄積領域の第１サブフレームに対するリソース割り当て：オプション２
【００２２】
オプション２においては、検出リソース共有用蓄積領域における第１サブフレーム内における残りのＰＲＢ（すなわち、Ｄ２ＤＳＳのために使用される、伝送リソース共有用蓄積領域内の６つの中央ＰＲＢ以外のＰＲＢ）が、通常のワイドエリアネットワーク（ＷＡＮ）伝送のために割り当てられるものとしてもよい。この場合、ｅＮＢは、通常のＵＥのために、正規の物理上りリンク共有チャネル（ＰＵＳＣＨ）伝送をスケジュールすることもできる。この方法は、オプション１の方法と比較して、ＷＡＮ伝送に対して、わずかな影響しか及ぼさないであろう。加えて、ｅＮＢは、ｅＮＢに近接するＵＥをスケジューリングする際に適切な電力制御を実行することにより、ＩＢＥに起因するＤ２ＤＳＳ伝送への干渉を低減することもできる。
【００２３】
１つ以上のＤ２Ｄ検出リソース共有用蓄積領域が、システムレベルにおいて時間分割多重（ＴＤＭ）を用いて割り当てられる際の、Ｄ２Ｄ検出リソース共有用蓄積領域の第１サブフレームに対するリソース割り当て：オプション３
【００２４】
オプション３においては、検出リソース共有用蓄積領域における第１サブフレーム内における残りのＰＲＢ（すなわち、Ｄ２ＤＳＳのために使用される、伝送リソース共有用蓄積領域内の６つの中央ＰＲＢ以外のＰＲＢ）が、検出信号の伝送のために割り当てられるものとしてもよい。ＩＢＥによるＤ２ＤＳＳ伝送への干渉を低減するために、Ｄ２Ｄ検出信号の開ループ電力制御のための分離した一組のパラメータ（例えば、ＰＯ及びアルファパラメータ）が適用可能であり、残りのＰＲＢが検出信号の伝送に使用される際に、伝送電力を制限する。
【００２５】
図１ａは、伝送リソース共有用蓄積領域１００ａにおける第１サブフレーム１０６ａ内の６つの中央ＰＲＢ１０２ａが、検出リソース共有用蓄積領域１０４ａと完全に重なり合う、例示的な伝送リソース共有用蓄積領域１００ａを示す。検出リソース共有用蓄積領域１０４ａは、タイプ１またはタイプ２Ｂのものであってもよい。また、ＷＡＮリソース１０８ａ及び物理上りリンク制御チャネル（ＰＵＣＣＨ）リソース１１０ａも、伝送リソース共有用蓄積領域１００ａ内に示される。伝送リソース共有用蓄積領域１００ａの横軸は時間を表し、伝送リソース共有用蓄積領域１００ａの縦軸は周波数を表す。残りのＰＲＢ１１２ａは、検出伝送のために使用されるものとしてもよい。検出リソース共有用蓄積領域１０４ａを構成する際、ｅＮＢは、検出リソース共有用蓄積領域が中央６つのＰＲＢ１０２ａを含むことを特定する必要があるであろう。加えて、残りのＰＲＢ１１２ａのために、ＵＥは、Ｄ２Ｄ検出のための反復伝送を用いない様に、構成されるものとしてもよい。
【００２６】
図１ｂは、伝送リソース共有用蓄積領域１００ｂにおける第１サブフレーム１０６ｂ内の６つの中央ＰＲＢ１０２ｂが、検出リソース共有用蓄積領域１０４ｂと部分的に重なり合う、例示的な伝送リソース共有用蓄積領域１００ｂを示す。検出リソース共有用蓄積領域１０４ｂは、タイプ１またはタイプ２Ｂのものであってもよい。また、ＷＡＮリソース１０８ｂ及び物理上りリンク制御チャネル（ＰＵＣＣＨ）リソース１１０ｂも、伝送リソース共有用蓄積領域１００ｂ内に示される。伝送リソース共有用蓄積領域１００ｂの横軸は時間を表し、伝送リソース共有用蓄積領域１００ｂの縦軸は周波数を表す。残りのＰＲＢ１１２ｂは、検出伝送のために使用されるものとしてもよい。検出リソース共有用蓄積領域１０４ｂを構成する際、ｅＮＢは、検出リソース共有用蓄積領域が中央６つのＰＲＢ１０２ｂを含むことを特定する必要があるであろう。加えて、残りのＰＲＢ１１２ｂのために、ＵＥは、Ｄ２Ｄ検出のための反復伝送を用いない様に、構成されるものとしてもよい。
【００２７】
図２は、伝送リソース共有用蓄積領域２００における第１サブフレーム２０６内の６つの中央ＰＲＢ２０２が、検出リソース共有用蓄積領域２０４と重なり合わない、例示的な伝送リソース共有用蓄積領域２００を示す。検出リソース共有用蓄積領域２０４は、タイプ１またはタイプ２Ｂのものであってもよい。また、ＷＡＮリソース２０８及び物理上りリンク制御チャネル（ＰＵＣＣＨ）リソース２１０も、伝送リソース共有用蓄積領域２００内に示される。伝送リソース共有用蓄積領域２００の横軸は時間を表し、伝送リソース共有用蓄積領域２００の縦軸は周波数を表す。検出リソース共有用蓄積領域２０４及び６つの中央ＰＲＢ２０２は、重なり合わないため、中央６つのＰＲＢは、Ｄ２ＤＳＳのために使用することができ、また、第１サブフレーム２０６内における検出リソース共有用蓄積領域２０４内の全てのリソースが、検出伝送のために割り当てられるものとしてもよい。
【００２８】
図３は、伝送リソース共有用蓄積領域３００における第１サブフレーム３０６内に有る、検出リソース共有用蓄積領域３０４内のＰＲＢのみが、６つの中央ＰＲＢ３０２内にも有る、例示的な伝送リソース共有用蓄積領域３００を示す。検出リソース共有用蓄積領域３０４は、タイプ１またはタイプ２Ｂのものであってもよい。また、ＷＡＮリソース３０８及び物理上りリンク制御チャネル（ＰＵＣＣＨ）リソース３１０も、伝送リソース共有用蓄積領域３００内に示される。伝送リソース共有用蓄積領域３００の横軸は時間を表し、伝送リソース共有用蓄積領域３００の縦軸は周波数を表す。この場合、Ｄ２ＤＳＳは、依然として、６つの中央ＰＲＢ３０２内において伝送されるものとしてもよい。第１サブフレーム３０６以外のサブフレーム内に有る、検出リソース共有用蓄積領域３０４内のＰＲＢは、Ｄ２Ｄ検出伝送のために割り当てることもできる。
【００２９】
図４は、伝送リソース共有用蓄積領域４００における第１サブフレーム４０６内の６つの中央ＰＲＢ４０２が、タイプ１の検出リソース共有用蓄積領域４０４及びタイプ２Ｂの検出リソース共有用蓄積領域４０５の双方と重なり合う、例示的な伝送リソース共有用蓄積領域４００を示す。また、ＷＡＮリソース４０８及び物理上りリンク制御チャネル（ＰＵＣＣＨ）リソース４１０も、伝送リソース共有用蓄積領域４００内に示される。伝送リソース共有用蓄積領域４００の横軸は時間を表し、伝送リソース共有用蓄積領域４００の縦軸は周波数を表す。この場合、伝送リソース共有用蓄積領域４００における第１サブフレーム４０６内に有る、タイプ１の検出リソース共有用蓄積領域４０４内の残りのＰＲＢ４１１は、タイプ１のＤ２Ｄ検出伝送のために、割り当てられるものとしてもよい。加えて、伝送リソース共有用蓄積領域４００における第１サブフレーム４０６内に有る、タイプ２Ｂの検出リソース共有用蓄積領域４０５内の残りのＰＲＢ４１２は、タイプ２ＢのＤ２Ｄ検出伝送のために、割り当てられるものとしてもよい。
【００３０】
タイプ１またはタイプ２Ｂの何れかの検出リソース共有用蓄積領域であってもよい複数の検出リソース共有用蓄積領域が、ＦＤＭ方式において割り当てられる際、図１ａ〜図４に示されるものに類似するリソース配置が、使用可能である。
【００３１】
タイプ１及びタイプ２Ｂの検出リソース共有用蓄積領域がＴＤＭ方式において割り当てられる際の、非同期型の網構成におけるＤ２Ｄ検出のためのＤ２ＤＳＳ伝送タイミング
【００３２】
伝送リソース共有用蓄積領域における第１サブフレーム内の６つの中央ＰＲＢが、ＴＤＭ方式において割り当てられるタイプ１の検出リソース共有用蓄積領域と重なり合う場合、６つの中央ＰＲＢ内において伝送されるＤ２ＤＳＳは、（例えば、ＤＬ基準タイミングに基づくことにより）タイプ１の検出のための伝送タイミングに、単純に追従するものとしてもよい。伝送リソース共有用蓄積領域における第１サブフレーム内の６つの中央ＰＲＢが、ＴＤＭ方式において割り当てられるタイプ２Ｂの検出リソース共有用蓄積領域と重なり合う場合、６つの中央ＰＲＢ内において伝送されるＤ２ＤＳＳは、タイプ２Ｂの検出のための伝送タイミングに追従してもよいし、あるいは、ＤＬまたはＵＬの基準タイミングに追従する様に固定されるものとしてもよい。有効なタイミングアドバンス（ＴＡ）構成を有するＵＥに関し、ＵＬ参照符号＝ＤＬ基準タイミング＋ＴＡが成立する。
【００３３】
タイプ１及びタイプ２Ｂの検出リソース共有用蓄積領域がＦＤＭ方式において割り当てられる際の、非同期構築におけるＤ２Ｄ検出のためのＤ２ＤＳＳ伝送タイミング
【００３４】
伝送リソース共有用蓄積領域における第１サブフレーム内の６つの中央ＰＲＢが、ＦＤＭ方式において割り当てられるタイプ１またはタイプ２Ｂの検出リソース共有用蓄積領域と重なり合う場合、使用可能な少なくとも２つの異なるタイミングの代替手段が存在する。これらの代替手段は、複数のＵＥが、単一周波数ネットワーク（ＳＦＮ）方式においてＤ２ＤＳＳの転送を試行する際、セル内の全てのＤ２ＤＳＳ伝送のために単一の基準タイミングに追従することは、検出性能を向上させるであろうという観測の基に、部分的に引き起こされる。
【００３５】
代替手段１においては、Ｄ２ＤＳＳは、検出信号の伝送に使用される伝送タイミングに拘らず（例えば、検出リソース共有用蓄積領域がタイプ２Ｂであり、ＵＬまたはＤＬの基準タイミングを使用するか否かに拘らず）、ＤＬの基準タイミングに基づいて伝送されるものとしてもよい。従って、タイプ２Ｂの伝送ＵＥが、タイプ２Ｂの検出リソース共有用蓄積領域とＦＤＭを介して多重化されたタイプ１の検出リソース共有用蓄積領域を認識している場合には、タイプ２Ｂの伝送ＵＥは、（接続ｅＮＢにより明示的に、または、幾つかの事前に規定された基準に従って）Ｄ２ＤＳＳを伝送する様に指示された時に、ＤＬタイミングに続き、Ｄ２ＤＳＳを伝送するものとしてもよい。あるいは、接続ｅＮＢは、（例えば、ＴＡがＤ２ＤＳＳ伝送に対して適用されるべきか否かを示すことにより、）リソース共有用蓄積領域の構成の一部としてＤ２ＤＳＳ伝送のために使用されるべきタイミングを、明確に伝えるものとしてもよい。
【００３６】
代替手段２においては、有効なＴＡ構成を有するＤ２ＤＵＥ（例えば、有効なＴＡ構成を有するＲＲＣ接続モードにあるＵＥ）は、ＵＬ基準タイミングに基づき、Ｄ２ＤＳＳを伝送するものとしてもよい。この代替手段は、ＵＥが、ＵＬ基準タイミングを用いて、タイプ２Ｂの検出信号も伝送する様に構成される場合に、合理的である。
【００３７】
代替手段１及び代替手段２間における変更可能性を提供するために、タイプ１の検出リソース共有用蓄積領域を用いてＲＲＣ待機モードにあるＵＥが、Ｄ２ＤＳＳ伝送のためにＤＬ基準タイミングに追従することを、規定することができる。また、ＵＥが、Ｄ２ＤＳＳ伝送用のＤＬ基準タイミングを用いる様に接続ｅＮＢにより明確に構成されない場合、または、タイプ１及びタイプ２Ｂの検出リソース共有用蓄積領域のＦＤＭ多重化の存在に基づき、Ｄ２ＤＳＳ伝送のためにＤＬ基準タイミングが使用されるべきとの推測を行う様に構成されない場合、有効なＴＡを有するＲＲＣ接続モード内にあるＵＥが、Ｄ２ＤＳＳ伝送のためにタイプ２Ｂの検出信号の伝送に関連付けられた伝送タイミングに追従することを、規定することもできる。
【００３８】
タイプ１及びタイプ２Ｂの検出リソース共有用蓄積領域がＦＤＭ方式において割り当てられる際に使用可能なＤ２ＤＳＳ伝送ルール
【００３９】
タイプ１及びタイプ２Ｂの検出リソース共有用蓄積領域がＦＤＭ方式において割り当てられる場合、何れのＵＥがＤ２ＤＳＳを伝送するかを決定するためのルールが、必要となる。以下の実施例では、幾つかの異なる種類の適用可能なルールについて、説明する。以下の実施例に係るルールは、個別にまたは組み合わせて使用することができる。
【００４０】
１つの実施例においては、接続ｅＮＢにより構成されるＵＥのみが、Ｄ２ＤＳＳ信号を伝送する様なルールを、適用可能である。接続ｅＮＢは、ＲＲＣ信号を介してＤ２ＤＳＳ信号を伝送する様に、ＵＥに指示するものとしてもよい。Ｄ２ＤＳＳ信号を伝送する様に指示されるＵＥは、Ｄ２Ｄ検出に参加しているＲＲＣ接続ＵＥであってもよい。加えて、Ｄ２ＤＳＳ信号を伝送する様に指示されるＵＥは、在圏セルを提供するｅＮＢにより呼び出し（ページング）可能なＲＲＣ待機ＵＥであってもよい。
【００４１】
別の実施例においては、ＲＲＣ接続モードまたはＲＲＣ待機モードにあるＵＥは、ｅＮＢからの如何なる明確な指示も必要とせず、所定の基準に基づき、Ｄ２ＤＳＳ信号を自立的に伝送する様に、構成されるものとしてもよい。ＵＥは、接続ｅＮＢ（及び場合により他のｅＮＢ）からの参照信号受信電力（ＲＳＲＰ）を測定し、経路損失を算出するものとしてもよい。経路損失及び／またはＲＳＲＰは、事前に規定された基準が満たされたか否かを判定するために、ｅノードＢにより設定された閾値と比較されるものとしてもよい。事前に規定された基準が満たされると、ＵＥは、Ｄ２ＤＳＳを伝送することができる。任意的には、Ｄ２ＤＳＳを送信するためのＵＥの決定は、接続／在圏セルのｅＮＢからの指示により、覆されるものとしてもよい。
【００４２】
別の実施例においては、ＵＥは、経路損失の測定結果（または、幾つかの他の関連する測定結果）を、ｅＮＢへ報告するものとしてもよい。ｅＮＢは、ＵＥから受信される測定結果を用いて、ＵＥ（及び場合により他のＵＥ）がＤ２ＤＳＳを伝送すべきか否かを判定するものとしてもよい。その後、適用可能な場合には、ｅＮＢは、ＵＥ固有信号を用いて、ＵＥに対し、Ｄ２ＤＳＳの伝送を指示するものとしてもよい。ＵＥは、ＲＲＣ接続モードにあり、Ｄ２Ｄの検出に参加しているものとしてもよい。また、ＵＥは、ＲＲＣ待機モードにあり、在圏セルのｅＮＢにより呼び出されて、経路損失の測定結果（または関連する測定結果）を報告するものとしてもよい。加えて、ＵＥがＲＲＣ待機モードにある場合には、ＵＥは、在圏セルのｅＮＢにより呼び出されて、移動管理手順において使用される測定基準を報告するものとしてもよい；また、ｅＮＢは、これらの測定基準を用いて、Ｄ２ＤＳＳの伝送を指示される一組のＵＥを決定するものとしてもよい。
【００４３】
タイプ１及びタイプ２Ｂの検出リソース共有用蓄積領域がＴＤＭを介して多重化される時と比較して、タイプ１及びタイプ２Ｂの検出リソース共有用蓄積領域がＦＤＭを介して多重化される時に指定されるＵＥ挙動が異なる場合には、ｅＮＢは、伝送リソース共有用蓄積領域の構成の一部として、その差分を、ｅＮＢ信号を介して明確に伝えるものとしてもよい。あるいは、ＵＥは、タイプ１及びタイプ２Ｂの検出リソース共有用蓄積領域間におけるＦＤＭの存在に基づいて上記差分を推測する様に、構成されるものとしてもよい。
【００４４】
図５は、Ｄ２Ｄ通信を実行することのできるＵＥ装置の例示的な機能５００を示す。該機能は、方法として実行することができる、または、該機能は、機械（マシン）上での指示として実行することができる。ここで、該指示は、少なくとも１つの非一時的なコンピュータ読み取り可能な記録媒体に含まれる。ブロック５１０に示す様に、ＵＥの回路は、非同期型の網構成におけるセル横断的なＤ２Ｄ検出を支援するための、デバイス相互間同期信号（Ｄ２ＤＳＳ）の構成情報、及びデバイス相互間同期信号（Ｄ２ＤＳＳ）の伝送タイミング情報を受信するものとしてもよい。ＵＥの回路は、例えば、１つ以上のプロセッサ（例えば、ベースバンドプロセッサ及びアプリケーションプロセッサ）、１つ以上のベースバンドプロセッサと通信を行う１つ以上の送受信機、並びに、１つ以上のアンテナを有するものとしてもよい。また、幾つかの実施形態においては、ＵＥの回路も、例えば、送受信機モジュール及び処理モジュール等の分離したモジュールを有するものとしてもよい。Ｄ２ＤＳＳの構成情報及びＤ２ＤＳＳの伝送タイミング情報は、アンテナを介して、無線受信することができる。アンテナは、ＵＥにおける送受信機モジュールの一部であってもよいし、あるいは、ＵＥにおける送受信機モジュールと通信を行ってもよい。幾つかの実施形態においては、送受信機モジュールは、Ｄ２ＤＳＳの構成情報及びＤ２ＤＳＳの伝送タイミング情報を、ＵＥにおける１つ以上のプロセッサへ提供するものとしてもよい。
【００４５】
ブロック５２０に示す様に、１つ以上のプロセッサを有するＵＥの回路（例えば、処理モジュール）は、Ｄ２ＤＳＳの構成情報に基づいてＤ２ＤＳＳ伝送のために割り当てられる、伝送リソース共有用蓄積領域の第１サブフレーム内の複数の物理リソースブロック（ＰＲＢ）を識別することもできる。複数のＰＲＢは、伝送リソース共有用蓄積領域における第１サブフレーム内に６つの中央ＰＲＢを有するものとしてもよい。また、伝送リソース共有用蓄積領域は、Ｄ２Ｄ検出リソース共有用蓄積領域を有するものとしてもよい。Ｄ２Ｄ検出リソース共有用蓄積領域内のリソースは、時間分割多重（ＴＤＭ）方式または周波数分割多重（ＦＤＭ）方式により、割り当てることもできる。Ｄ２Ｄ検出リソース共有用蓄積領域内のリソースは、非ＵＥ機器に固有の基準（タイプ１）で割り当てられるか、または、ＵＥ機器に固有の基準（タイプ２Ｂ）で半永久的に割り当てられるものとしてもよい。
【００４６】
複数のＰＲＢは、Ｄ２Ｄ検出リソース共有用蓄積領域と重なり合うものとしてもよい。Ｄ２ＤＳＳ伝送のために割り当てられる複数のＰＲＢに含まれない、Ｄ２Ｄ検出リソース共有用蓄積領域における第１サブフレーム内のＰＲＢが、ＷＡＮ伝送またはＤ２Ｄ検出伝送のために、割り当てられるものとしてもよい。
【００４７】
ブロック５３０に示す様に、ＵＥの回路（例えば、ベースバンドプロセッサ（複数可）に接続された送受信機（複数可））は、Ｄ２ＤＳＳの構成情報に基づき、（例えば、アンテナ及び送受信機モジュールを介して、）Ｄ２Ｄ同期信号（Ｄ２ＤＳＳ）を送信または受信することができる。Ｄ２Ｄ検出リソース共有用蓄積領域内のリソースがＴＤＭ方式において割り当てられる場合には、ＵＥの回路は、下りリンク（ＤＬ）の基準タイミングまたはタイプ２Ｂの伝送タイミングに基づき、（例えば、送受信機モジュールを介して、）Ｄ２Ｄ同期信号（Ｄ２ＤＳＳ）を送信することもできる。Ｄ２Ｄ検出リソース共有用蓄積領域内のリソースがＦＤＭ方式において割り当てられる場合には、ＵＥの回路は、下りリンク（ＤＬ）の基準タイミングまたは上りリンク（ＵＬ）の基準タイミングに基づき、（例えば、送受信機モジュールを介して、）Ｄ２ＤＳＳを送信することもできる。
【００４８】
更に、Ｄ２Ｄ検出リソース共有用蓄積領域内のリソースがＦＤＭ方式において割り当てられる場合には、ＵＥの回路は、（例えば、１つ以上のプロセッサを有する処理モジュールを用いて、）例えば、参照信号受信電力（ＲＳＲＰ）または経路損失等の測定結果を算出し、該測定結果に基づき、ＵＥがＤ２ＤＳＳを送信すべきか否かを判定するものとしてもよい。その後、ＵＥの回路は、測定結果及び閾値間の比較結果に基づく、Ｄ２ＤＳＳを送信すべきか否かの判定結果を、送信するものとしてもよい。あるいは、ＵＥの回路は、（例えば、送受信機モジュールを介して、）上記測定結果を、ｅＮＢに対しても送信するものとしてもよい。その後、ｅＮＢは、測定結果に基づき、ＵＥがＤ２ＤＳＳを送信すべきか否かを判定し、該判定の結果を有するＵＥへ、上書き指示（オーバーライド指示）を送信するものとしてもよい。ＵＥがＤ２ＤＳＳを送信すべきか否かの判定に際して双方の方法が用いられる場合には、ｅＮＢからの上書き指示が、ＵＥの回路により為された判定に、優先するものとしてもよい。
【００４９】
図６は、セル方式基地局の例示的な機能６００を示す。該機能は、方法として実行することができる、または、該機能は、機械上での指示として実行することができる。ここで、該指示は、少なくとも１つの非一時的なコンピュータ読み取り可能な記録媒体に含まれる。ブロック６１０に示す様に、セル方式基地局の回路（例えば、１つ以上のプロセッサを有する処理モジュール）は、伝送リソース共有用蓄積領域の第１サブフレーム内におけるデバイス相互間同期信号（Ｄ２ＤＳＳ）伝送のために、複数の物理リソースブロック（ＰＲＢ）を割り当てることができる。ブロック６２０に示す様に、セル方式基地局の回路（例えば、１つ以上のプロセッサを有する処理モジュール）は、伝送リソース共有用蓄積領域内のＤ２Ｄ検出リソース共有用蓄積領域を割り当てることもできる。ブロック６３０に示す様に、セル方式基地局の回路（例えば、１つ以上のプロセッサを有する処理モジュール）は、セル（例えば、セル方式基地局の提供するセル）内の少なくとも１つのＵＥから送信される測定結果を受信する。ブロック６４０に示す様に、セル方式基地局の回路（例えば、１つ以上のプロセッサを有する処理モジュール）は、少なくとも１つのＵＥに信号を送って、測定結果に基づきＤ２Ｄ同期信号（Ｄ２ＤＳＳ）を送信させるか否かを判定する（すなわち、その決定をする）ことができる。上記測定結果は、参照信号受信電力（ＲＳＲＰ）または経路損失のレベルを有するものとしてもよい。幾つかの実施例においては、回路は、少なくとも１つのＵＥに信号を送って、上記測定結果及び閾値間の比較結果に基づきＤ２ＤＳＳを送信させるか否かを判定することができる。ブロック６５０に示す様に、セル方式基地局の回路（例えば、１つ以上のアンテナと通信を行う送受信機を有する送受信機モジュール）は、上記判定の結果を示す少なくとも１つのＵＥへ、伝送指示を送信することもできる。
【００５０】
図７は、例えば、ユーザ機器（ＵＥ）、移動局（ＭＳ）、移動無線装置、移動通信装置、タブレット、携帯電話機、または、他の種類の無線装置等の無線装置を例示する図である。無線装置は、例えば、基地局（ＢＳ）、次世代ノードＢ（ｅＮＢ）、ベースバンド装置（ＢＢＵ）、遠隔無線装置（ＲＲＨ）、遠隔無線機器（ＲＲＥ）、中継局（ＲＳ）、無線機器（ＲＥ）、または、他の種類の無線ワイドエリアネットワーク（ＷＷＡＮ）アクセスポイント等の、ノード、マクロノード、低電力ノード（ＬＰＮ）、または送信局と通信する様に構成された１つ以上のアンテナを有するものとしてもよい。無線装置は、３ＧＰＰＬＴＥ、ＷｉＭＡＸ、高速パケットアクセス（ＨＳＰＡ）、ブルートゥース（登録商標）、及びＷｉＦｉを含む、少なくとも１つの無線通信規格を用いて、通信する様に構成されるものとしてもよい。無線装置は、無線通信規格毎に個別のアンテナ、または、複数の無線通信規格のための共有アンテナを用いて、通信を行うこともできる。無線装置は、無線ローカルエリアネットワーク（ＷＬＡＮ）、無線パーソナルエリアネットワーク（ＷＰＡＮ）、及び／または、ＷＷＡＮ内において、通信を行うものとしてもよい。
【００５１】
図７は、無線装置から入出力される音声のために使用可能なマイクロホン及び１つ以上のスピーカも例示する図である。表示画面は、例えば、有機発光ダイオード（ＯＬＥＤ）ディスプレイ等の液晶表示装置（ＬＣＤ）の画面、または他の種類の表示画面であってもよい。表示画面は、タッチスクリーンとして構成することもできる。タッチスクリーンは、容量性、抵抗性、または他の種類のタッチスクリーン技術を用いることができる。アプリケーションプロセッサ、及びグラフィックプロセッサは、処理性能及び表示性能を提供するための内部メモリに接続されるものとしてもよい。また、不揮発性メモリポートは、データ入出力の選択肢をユーザへ提供するために使用されるものとしてもよい。また、不揮発性メモリポートは、無線装置のメモリ性能を拡張するために使用することもできる。キーボードは、無線装置と一体化され、または、無線装置に無線接続されて、追加のユーザ入力を提供するものとしてもよい。更に、タッチスクリーンを用いて、仮想キーボードを提供するものとしてもよい。
【００５２】
様々な技術、またはそのある側面若しくは部分は、例えば、フロッピディスク、ＣＤ−ＲＯＭ、ディスクドライブ、非一時的なコンピュータ読み取り可能な記録媒体、または、他の幾つかの機械読み取り可能な記録媒体等の、有形的媒体において具現化されるプログラムコード（すなわち、命令）の形式を採ることができる。有形的媒体において、プログラムコードが、例えばコンピュータ等の機械にロードされて実行されると、機械は、様々な技術を実現するための装置となる。回路は、ハードウェア、ファームウェア、プログラムコード、実行コード、コンピュータ命令、及び／またはソフトウェアを含むものとしてもよい。非一時的なコンピュータ読み取り可能な記録媒体は、信号を含まないコンピュータ読み取り可能な記録媒体であってもよい。プログラム可能なコンピュータ上でプログラムコードが実行される場合、コンピュータ装置は、プロセッサ、該プロセッサにより読み取り可能な記録媒体（揮発性及び不揮発性のメモリ、及び／または記憶素子）、少なくとも１つの入力装置、及び少なくとも１つの出力装置を有するものとしてもよい。揮発性及び不揮発性のメモリ、及び／または記憶素子は、ＲＡＭ、ＥＰＲＯＭ、フラッシュドライブ、光学式ドライブ、磁気ディスクドライブ、半導体ドライブ、または、電子データを格納するための他の媒体であってもよい。また、ノード及び無線装置は、送受信機モジュール、カウンタモジュール、処理モジュール、及び／または、クロックモジュール若しくはタイマモジュールを有するものとしてもよい。本明細書に記載されている様々な技術を実行または利用することのできる１つ以上のプログラムは、アプリケーションプログラミングインタフェース（ＡＰＩ）、及び、再使用可能な制御等を、使用するものとしてもよい。その様なプログラムは、コンピュータシステムと通信を行うための高水準手続き型またはオブジェクト指向型のプログラミング言語において、実行可能である。しかしながら、その様なプログラムは、必要に応じて、アセンブリ言語またはマシン語においても、実行可能である。何れの場合でも、言語は、コンパイルまたはインタープリタされた言語であってもよく、また、ハードウェア実装と結合されるものとしてもよい。
【００５３】
本明細書においては、"または"の用語は、両立的選言を示す。例えば、本明細書においては、"ＡまたはＢ"の語句は、例示的条件Ａ及びＢの両立的選言を表す。従って、"ＡまたはＢ"は、条件Ａが偽であり、かつ、条件Ｂが偽である場合に限り、偽である。条件Ａが真であり、かつ、条件Ｂも真である場合、"ＡまたはＢ"も、真である。条件Ａが真であり、かつ、条件Ｂが偽である場合、"ＡまたはＢ"は、真である。条件Ｂが真であり、かつ、条件Ａが偽である場合、"ＡまたはＢ"は、真である。換言すれば、"または"の用語は、本明細書においては、排他的選言と解釈されないものとする。 "排他的論理和"の用語は、排他的選言を意図する場合に使用される。
【００５４】
本明細書において、プロセッサの用語は、送受信機において送信、受信、及び無線通信処理に使用されるベースバンドプロセッサに加えて、汎用プロセッサ、例えば、ＶＬＳＩ、ＦＰＧＡ等の特定のプロセッサ、及び、他の種類の特定のプロセッサを含むものとしてもよい。
【００５５】
本明細書に記載されている機能的部分の多くは、その実装の独立性を特に強調するために、モジュールと称されていることが理解されるべきである。例えば、モジュールは、カスタムＶＬＳＩ回路、または、ゲートアレイ、例えば、論理チップ、トランジスタ、若しくは他のディスクリート回路素子等の既製の半導体を有するハードウェア回路として、実装可能である。また、モジュールは、例えば、フィールドプログラマブルゲートアレイ、プログラム可能なアレイ論理、プログラム可能な論理装置等のプログラム可能なハードウェア装置内にも、実装可能である。
【００５６】
また、モジュールは、様々な種類のプロセッサにより実行されるソフトウェア内にも、実装可能である。例えば、実行コードの特定モジュールは、例えば、目的、手順、または機能として構造化可能な、コンピュータ命令の１つ以上の物理または論理ブロックを、有するものとしてもよい。これにも拘らず、特定モジュールの実行ファイルは、物理的に一緒に位置する必要はなく、論理的に結合された時に上記モジュールを有して該モジュールにとっての所定の目的を達成する、異なる位置に格納された異種の命令を、含むものとしてもよい。
【００５７】
実際には、実行コードのモジュールは、単一命令または多数の命令であってもよく、かつ、異なるプログラムの内、幾つかの異なるコード（命令）セグメントに渡って分布し、幾つかのメモリ装置を横断しさえしてもよい。同様に、本明細書においては、運用データは、モジュール内において特定及び例示されるものとしてもよく、かつ、何れかの適切な形態で具現化されて、何れかの適切な種類のデータ構造内において構造化されるものとしてもよい。運用データは、単一のデータセットとして収集されてもよいし、または、異なる記憶装置を含む異なる位置に渡って分布するものとしてもよい。また、運用データは、少なくとも部分的には、単に、システムまたはネットワーク上の電子信号として存在するものとしてもよい。上記モジュールは、所望の機能を実現することのできるエージェントを有して、パッシブ動作型またはアクティブ動作型のものであってもよい。
【００５８】
本明細書において、"プロセッサ"の用語は、送受信機において送信、受信、及び無線通信処理に使用されるベースバンドプロセッサに加えて、汎用プロセッサ、例えば、ＶＬＳＩ、ＦＰＧＡ等の特定のプロセッサ、及び、他の種類の特定のプロセッサを含むものとしてもよい。
【００５９】
本明細書を通した"実施例"への言及は、実施例に関連して記載された特定の特徴、構造、または特性が、本願発明の開示に係る少なくとも１つの実施形態に含まれることを意味する。このため、本明細書を通した様々な箇所における"実施例において"の語句の出現は、必ずしも全てが、同一の実施形態について言及するものではない。
【００６０】
本明細書においては、複数の項目、構造的構成要素、組成的構成要素、及び／または材料は、便宜上、共通のリストに存在するものとしてもよい。しかしながら、これらのリストは、リストの各要素が、分離した固有の要素として個別に識別される様に、解釈されるものとする。従って、その様なリストの個別の要素は、そうでないことが示されない限り、単に共通のグループ内にあるとの記載のみによって、同一のリストの他の如何なる要素とも、事実上均等であるものとは、解釈されないものとする。加えて、本願の開示に係る様々な実施形態及び実施例は、その様々な構成要素の代替手段と併せて、本明細書において言及することができる。その様な実施形態、実施例、及び代替手段は、お互いの事実上の均等物として解釈されるべきではなく、本願開示に係る分離した自立的な説明とみなされるべきである、と理解される。
【００６１】
更に、記載された特徴、構造、または特性は、１つ以上の実施形態に係る如何なる適切な方法においても、組み合わせ可能である。以下の説明において、多くの詳細情報、例えば、配置、距離、ネットワーク等の実施例は、本願開示に係る実施形態を十分に理解可能とするために、提供される。しかしながら、当業者であれば、本願開示に係る実施形態が、１つ以上の詳細情報を用いることなく、または、他の方法、構成要素、配置等を用いて、実施可能であることを、認識するであろう。他の例では、周知の構造、材料、または工程は、本願開示の側面を曖昧にするのを回避するために、詳細には図示または記載していない。
【００６２】
上述した実施例は、１つ以上の特定のアプリケーションにおける本願開示に係る原理を説明するものであるが、発明力を発揮することなく、また、本願開示に係る原理及び概念から逸脱することなく、形状、用法、及び実装の詳細において、多数の変形態様を採り得ることは、当業者にとって明らかであろう。従って、上記開示は、以下に記載する請求項による場合を除き、限定されることを意図するものではない。
［項目１］
ユーザ機器（ＵＥ）の装置であって、該装置は、セル横断的なデバイス相互間（Ｄ２Ｄ）検出を行うように動作可能な回路を有し、該回路は、
セル横断的なＤ２Ｄ検出を支持するために、上記ＵＥにおいて、デバイス相互間同期信号（Ｄ２ＤＳＳ）の構成情報、及びデバイス相互間同期信号（Ｄ２ＤＳＳ）の伝送タイミング情報を受信する動作と、
上記Ｄ２ＤＳＳの構成情報に基づき、伝送リソース共有用蓄積領域における第１サブフレーム内の複数の物理リソースブロック（複数のＰＲＢ）を識別する動作であって、上記複数のＰＲＢは、上記Ｄ２ＤＳＳの伝送のために割り当てられるリソースブロックであり、上記伝送リソース共有用蓄積領域は、Ｄ２Ｄ検出リソース共有用蓄積領域を有し、リソースは、システムレベルにおいて時間分割多重（ＴＤＭ）方式により割り当てられる、上記複数のＰＲＢを識別する動作と、
上記Ｄ２ＤＳＳの構成情報に基づき、上記複数のＰＲＢを用いて、Ｄ２Ｄ同期信号（Ｄ２ＤＳＳ）を送信または受信する動作と、
を実行する様に構成される、装置。
［項目２］
上記Ｄ２Ｄ検出リソース共有用蓄積領域内のリソースは、非ＵＥ機器に固有の基準（タイプ１）で割り当てられる、または、ＵＥ機器に固有の基準（タイプ２Ｂ）で半永久的に割り当てられる、項目１に記載の装置。
［項目３］
上記Ｄ２Ｄ検出リソース共有用蓄積領域における上記第１サブフレーム内の１つ以上の残りのＰＲＢは、Ｄ２ＤＳＳの伝送のために割り当てられる上記複数のＰＲＢ内に含まれないＰＲＢであると共に、ワイドエリアネットワーク（ＷＡＮ）伝送またはＤ２Ｄ検出伝送のために割り当てられないＰＲＢである、項目２に記載の装置。
［項目４］
Ｄ２ＤＳＳの伝送のために割り当てられる上記複数のＰＲＢ内に含まれない、上記Ｄ２Ｄ検出リソース共有用蓄積領域における上記第１サブフレーム内の１つ以上の残りのＰＲＢは、次世代ノードＢのスケジューリング決定に基づき、ワイドエリアネットワーク（ＷＡＮ）伝送のために割り当てられる、または、Ｄ２Ｄ検出伝送のために割り当てられる、項目２に記載の装置。
［項目５］
Ｄ２ＤＳＳの伝送のために割り当てられる上記複数のＰＲＢは、上記Ｄ２Ｄ検出リソース共有用蓄積領域と重なり合う、項目２に記載の装置。
［項目６］
上記伝送リソース共有用蓄積領域は更に、
リソースが非ＵＥ機器に固有の基準（タイプ１）で割り当てられる、第１Ｄ２Ｄ検出リソース共有用蓄積領域、及び
リソースがＵＥ機器に固有の基準（タイプ２Ｂ）で半永久的に割り当てられる、第２Ｄ２Ｄ検出リソース共有用蓄積領域を有する、項目２に記載の装置。
［項目７］
Ｄ２ＤＳＳの伝送のために割り当てられる上記複数のＰＲＢは、上記第１Ｄ２Ｄ検出リソース共有用蓄積領域または上記第２Ｄ２Ｄ検出リソース共有用蓄積領域の少なくとも１つと重なり合う、項目６に記載の装置。
［項目８］
上記回路は更に、下りリンク（ＤＬ）基準タイミングに基づき、または、タイプ２Ｂ伝送タイミングに基づき、Ｄ２Ｄ同期信号（Ｄ２ＤＳＳ）を送信する様に構成される、項目２に記載の装置。
［項目９］
セル横断的なデバイス相互間（Ｄ２Ｄ）検出の可能なユーザ機器（ＵＥ）の装置であって、上記装置は、
セル横断的なＤ２Ｄ検出を支持するために、デバイス相互間同期信号（Ｄ２ＤＳＳ）の構成情報、及びデバイス相互間同期信号（Ｄ２ＤＳＳ）の伝送タイミング情報を受信し、
上記Ｄ２ＤＳＳの構成情報に基づき、Ｄ２ＤＳＳの伝送のために割り当てられる、伝送リソース共有用蓄積領域における第１サブフレーム内の複数の物理リソースブロック（複数のＰＲＢ）を識別し、上記伝送リソース共有用蓄積領域は、Ｄ２Ｄ検出リソース共有用蓄積領域を有し、リソースは、システムレベルにおいて周波数分割多重（ＦＤＭ）方式により割り当てられる、
上記Ｄ２ＤＳＳの構成情報に基づき、Ｄ２Ｄ同期信号（Ｄ２ＤＳＳ）を送信または受信する様に構成される回路を有する、装置。
［項目１０］
Ｄ２ＤＳＳの伝送のために割り当てられる上記複数のＰＲＢ内に含まれない、上記Ｄ２Ｄ検出リソース共有用蓄積領域における上記第１サブフレーム内の１つ以上の残りのＰＲＢは、ワイドエリアネットワーク（ＷＡＮ）伝送またはＤ２Ｄ検出伝送のために割り当てられない、項目９に記載の装置。
［項目１１］
Ｄ２ＤＳＳの伝送のために割り当てられる上記複数のＰＲＢ内に含まれない、上記Ｄ２Ｄ検出リソース共有用蓄積領域における上記第１サブフレーム内の１つ以上の残りのＰＲＢは、次世代ノードＢ（ｅＮＢ）により為されたスケジューリング決定に基づき、ワイドエリアネットワーク（ＷＡＮ）伝送のために割り当てられる、項目９に記載の装置。
［項目１２］
Ｄ２ＤＳＳの伝送のために割り当てられる上記複数のＰＲＢ内に含まれない、上記Ｄ２Ｄ検出リソース共有用蓄積領域における上記第１サブフレーム内の１つ以上の残りのＰＲＢは、Ｄ２Ｄ検出伝送のために割り当てられる、項目９に記載の装置。
［項目１３］
上記回路は、更に、下りリンク（ＤＬ）の基準タイミングまたは上りリンク（ＵＬ）の基準タイミングに基づき、Ｄ２Ｄ同期信号（Ｄ２ＤＳＳ）を送信する様に、構成される、項目９に記載の装置。
［項目１４］
上記回路は、更に、
セルのための参照信号受信電力（ＲＳＲＰ）を識別し、上記セルは、接続セルまたは在圏セルであり、
上記セルにより設定される設定閾値を受信し、
上記ＲＳＲＰ及び上記設定閾値間の比較結果に基づき、Ｄ２ＤＳＳが送信されるか否かを判定する様に、構成される、項目９に記載のＵＥ。
［項目１５］
上記回路は、更に、次世代ノードＢ（ｅＮＢ）から上書き指示を受信する様に、構成され、上記上書き指示は、Ｄ２ＤＳＳが送信されるか否かを識別し、かつ、上記上書き指示は、上記判定に優先する、項目１４に記載の装置。
［項目１６］
上記回路は、更に、
セルのための経路損失の測定結果を識別し、上記セルは、接続セルまたは在圏セルであり、
上記セルにより設定される設定閾値を受信し、
上記経路損失の測定結果及び上記設定閾値間の比較結果に基づき、Ｄ２ＤＳＳが送信されるか否かの判定を行う様に、構成される、項目９に記載の装置。
［項目１７］
上記回路は、更に、次世代ノードＢ（ｅＮＢ）から上書き指示を受信する様に、構成され、上記上書き指示は、Ｄ２ＤＳＳが送信されるか否かを識別し、かつ、上記上書き指示は、上記判定に優先する、項目１６に記載の装置。
［項目１８］
上記回路は、更に、上記経路損失の測定結果を上記ｅＮＢへ送信する様に、構成され、上記ｅＮＢは、上記経路損失の測定結果に基づき、上記上書き指示を送信する様に構成される、項目１７に記載の装置。
［項目１９］
１つ以上のプロセッサにより実行されると、
伝送リソース共有用蓄積領域の第１サブフレーム内におけるデバイス相互間同期信号（Ｄ２ＤＳＳ）伝送のために、複数の物理リソースブロック（複数のＰＲＢ）を割り当てること、
上記伝送リソース共有用蓄積領域内のＤ２Ｄ検出リソース共有用蓄積領域を割り当てること、
セル内の少なくとも１つのＵＥから送信される測定結果を受信すること、
少なくとも１つのＵＥに信号を送って、上記測定結果に基づきＤ２Ｄ同期信号（Ｄ２ＤＳＳ）を送信させるか否かを判定すること、及び
上記判定の結果を示す少なくとも１つのＵＥへ、伝送指示を送信すること、を実行する命令を有する、非一時的なコンピュータ読み取り可能な媒体。
［項目２０］
１つ以上のプロセッサにより実行されると、少なくとも１つのＵＥに信号を送って、上記測定結果及び閾値間の比較結果に基づきＤ２ＤＳＳを送信させるか否かを判定すること、を実行する命令を更に有する、項目１９に記載の非一時的なコンピュータ読み取り可能な媒体。
［項目２１］
上記測定結果は、参照信号受信電力（ＲＳＲＰ）を示す数量を含む、項目１９に記載の非一時的なコンピュータ読み取り可能な媒体。
［項目２２］
上記測定結果は、経路損失のレベルを示す数量を含む、項目１９に記載の非一時的なコンピュータ読み取り可能な媒体。
【図１ａ】
0006584021.tif 000002
【図１ｂ】
0006584021.tif 000003
【図２】
0006584021.tif 000004
【図３】
0006584021.tif 000005
【図４】
0006584021.tif 000006
【図５】
0006584021.tif 000007
【図６】
0006584021.tif 000008
【図７】
0006584021.tif 000009